(57)【要約】      （修正有）【課題】ＤＶフォーマットとＭＰＥＧフォーマットのような異なるフォーマットで符号化された信号が共に記録されている磁気テープからデータを読み出して再生する際に、フォーマットの切り替え部分で復号再生信号のつながりが悪くなる。【解決手段】フレーム内符号化を用いたＤＶフォーマットにより符号化された第１画像信号と、フレーム間符号化を用いたＭＰＥＧ符号化方式により符号化された第２画像信号とを磁気テープ１０１から再生する再生回路１０２と、第１画像信号を復号するＤＶ信号復号化回路１０６と、第２画像信号を復号するＭＰＥＧ信号復号化回路１０７と、ＭＰＥＧ信号復号化回路１０７による復号処理に関連した所定の期間、再生回路１０２により再生された第１画像信号を遅延してＤＶ信号復号化回路１０６に供給するバッファ１０５とを有する。【選択図】  図１
2004173070.tif 000002
【特許請求の範囲】
【請求項１】
フレーム内符号化を用いた第１符号化方式により符号化された第１画像信号と、フレーム間符号化を用いた第２符号化方式により符号化された第２画像信号とを記録媒体から再生する再生手段と、
前記第１画像信号を復号する第１復号手段と、
前記第２画像信号を復号する第２復号手段と、
前記第２復号手段による復号処理に関連した所定の期間、前記再生手段により再生された前記第１画像信号を遅延して前記第１復号手段に供給する遅延手段と、
を有することを特徴とする映像信号再生装置。
【請求項２】
前記遅延手段はバッファメモリを含むことを特徴とする請求項１に記載の映像信号再生装置。
【請求項３】
前記第１復号手段により復号した信号と、前記第２復号手段により復号した信号のうちの一方を選択して表示装置に出力する選択手段を更に有することを特徴とする請求項１に記載の映像信号再生装置。
【請求項４】
前記再生手段により再生された画像信号が前記第１画像信号と第２画像信号の何れであるかを判別する判別手段を更に有し、前記判別手段は判別結果に応じて前記選択手段の選択動作を制御することを特徴とする請求項３に記載の映像信号再生装置。
【請求項５】
フレーム内符号化を用いた第１符号化方式により符号化された第１画像信号と、フレーム間符号化を用いた第２符号化方式により符号化された第２画像信号とを記録媒体から再生する再生手段と、
前記再生手段により再生された前記第１画像信号を復号する第１復号手段と、
前記再生手段により再生された前記第２画像信号を復号する第２復号手段と、
前記第２復号手段による復号処理に関連した所定の期間、前記第１復号手段の出力信号を遅延して出力する遅延手段と、
を有することを特徴とする映像信号再生装置。
【請求項６】
フレーム内符号化を用いた第１符号化方式により符号化された第１画像信号と、フレーム間符号化を用いた第２符号化方式により符号化された第２画像信号とを記録媒体から再生する再生手段と、
前記第１画像信号を復号する第１復号手段と、
前記第２画像信号を復号する第２復号手段と、
前記再生手段により再生された前記第１画像信号を第１所定期間遅延して前記第１復号手段に供給する第１遅延手段と、
前記再生手段により再生された前記第２画像信号を前記第１所定期間よりも短い第２所定期間遅延して前記第２復号手段に供給する第２遅延手段と、
を有することを特徴とする映像信号再生装置。
【請求項７】
フレーム内符号化を用いた第１符号化方式により符号化された第１画像信号と、フレーム間符号化を用いた第２符号化方式により符号化された第２画像信号とを記録媒体から再生する再生手段と、
前記第１画像信号を復号し復号した画像信号を出力する第１復号手段と、
前記第２画像信号を復号し復号した画像信号を出力する第２復号手段と、
前記再生手段により前記第１画像信号が再生されてから前記第１復号手段から復号されて出力されるまでの期間と、前記再生手段により前記第２画像信号が再生されてから前記第２復号手段から復号されて出力されるまでの期間とを実質的に一致させるよう、前記再生手段により再生された前記第１画像信号を遅延して前記第１復号手段に供給する遅延手段と、
を有することを特徴とする映像信号再生装置。
【請求項８】
フレーム内符号化を用いた第１符号化方式により符号化された第１画像信号と、フレーム間符号化を用いた第２符号化方式により符号化された第２画像信号とを記録媒体から再生する再生手段と、
前記第１画像信号を復号し復号した画像信号を出力する第１復号手段と、
前記第２画像信号を復号し復号した画像信号を出力する第２復号手段と、
前記再生手段により前記第１画像信号が再生されてから前記第１復号手段により復号されて出力されるまでの期間と、前記再生手段により前記第２画像信号が再生されてから前記第２復号手段により復号されて出力されるまでの期間とを実質的に一致させるよう前記第１復号手段の出力信号を遅延して出力する遅延手段と、
を有することを特徴とする映像信号再生装置。
【請求項９】
前記第１画像信号は、ＨＤデジタルＶＣＲ評議会により規定されたＤＶフォーマットに従うフォーマットの画像信号であることを特徴とする請求項１乃至８のいずれか１項に記載の映像信号再生装置。
【請求項１０】
前記第２画像信号は、ＭＰＥＧフォーマットに従う画像信号であることを特徴とする請求項１乃至８のいずれか１項に記載の映像信号再生装置。
【請求項１１】
フレーム内符号化を用いた第１符号化方式により符号化された第１画像信号と、フレーム間符号化を用いた第２符号化方式により符号化された第２画像信号とを記録している記録媒体から信号を再生する再生工程と、
前記再生工程で再生された前記第１画像信号を復号する第１復号工程と、
前記再生工程で再生された前記第２画像信号を復号する第２復号工程と、
前記第２復号工程における復号処理に関連した所定の期間、前記再生工程で再生された前記第１画像信号を遅延させる遅延工程と、
を有することを特徴とする映像信号再生方法。
【請求項１２】
フレーム内符号化を用いた第１符号化方式により符号化された第１画像信号と、フレーム間符号化を用いた第２符号化方式により符号化された第２画像信号とを記録している記録媒体から信号を再生する再生工程と、
前記再生工程で再生された前記第１画像信号を復号する第１復号工程と、
前記再生工程で再生された前記第２画像信号を復号する第２復号工程と、
前記第２復号工程における復号処理に関連した所定の期間、前記第１復号工程で復号された信号を遅延する遅延工程と、
を有することを特徴とする映像信号再生方法。
【請求項１３】
フレーム内符号化を用いた第１符号化方式により符号化された第１画像信号と、フレーム間符号化を用いた第２符号化方式により符号化された第２画像信号とを記録している記録媒体から信号を再生する再生工程と、
前記再生工程で再生された前記第１画像信号を復号する第１復号工程と、
前記再生工程で再生された前記第２画像信号を復号する第２復号工程と、
前記再生工程で再生された前記第１画像信号を第１所定期間遅延して前記第１復号工程に供給する第１遅延工程と、
前記再生工程で再生された前記第２画像信号を前記第１所定期間よりも短い第２所定期間遅延して前記第２復号工程に供給する第２遅延工程と、
を有することを特徴とする映像信号再生方法。
【請求項１４】
フレーム内符号化を用いた第１符号化方式により符号化された第１画像信号と、フレーム間符号化を用いた第２符号化方式により符号化された第２画像信号とを記録している記録媒体から信号を再生する再生工程と、
前記第１画像信号を復号し復号した画像信号を出力する第１復号工程と、
前記第２画像信号を復号し復号した画像信号を出力する第２復号工程と、
前記再生工程で前記第１画像信号が再生されてから前記第１復号工程で復号されて出力されるまでの期間と、前記再生工程で前記第２画像信号が再生されてから前記第２復号工程で復号されて出力されるまでの期間とを実質的に一致させるよう、前記再生工程で再生された前記第１画像信号を遅延して前記第１復号工程に供給する遅延工程と、
を有することを特徴とする映像信号再生方法。
【請求項１５】
フレーム内符号化を用いた第１符号化方式により符号化された第１画像信号と、フレーム間符号化を用いた第２符号化方式により符号化された第２画像信号とを記録している記録媒体から信号を再生する再生工程と、
前記第１画像信号を復号し復号した画像信号を出力する第１復号工程と、
前記第２画像信号を復号し復号した画像信号を出力する第２復号工程と、
前記再生工程で前記第１画像信号が再生されてから前記第１復号工程で復号されて出力されるまでの期間と、前記再生工程で前記第２画像信号が再生されてから前記第２復号工程で復号されて出力されるまでの期間とを実質的に一致させるよう前記第１復号工程の出力信号を遅延して出力する遅延工程と、
を有することを特徴とする映像信号再生方法。
【請求項１６】
前記第１画像信号は、ＨＤデジタルＶＣＲ評議会により規定されたＤＶフォーマットに従うフォーマットの画像信号であることを特徴とする請求項１１乃至１５のいずれか１項に記載の映像信号再生方法。
【請求項１７】
前記第２画像信号は、ＭＰＥＧフォーマットに従う画像信号であることを特徴とする請求項１１乃至１５のいずれか１項に記載の映像信号再生方法。
【発明の詳細な説明】
【０００１】
【発明の属する技術分野】
本発明は、例えばＤＶ（ディジタルビデオ）テープのような磁気テープに記録されている映像信号を再生する映像信号再生技術に関するものである。
【０００２】
【従来の技術】
従来、映像信号並びに音声信号を、ＤＶテープを始めとした磁気テープに記録する場合、ＨＤデジタルＶＣＲ評議会が提案したＤＶフォーマットと呼ばれるフォーマットを用いることが主であった。このＤＶフォーマットにおける符号化方式は、フレーム内での圧縮を行うイントラ符号化方式であるため、その磁気テープから読み出された符号化信号の復号が終了した時点で、そのデジタルビデオカメラに具備されているＬＣＤ（液晶表示部）やファインダなどの映像表示手段に表示出力することが可能であった。また、このＤＶフォーマットとは別に、映像や音声信号をＭＰＥＧフォーマットにて符号化して映像、音声データをそれぞれ磁気テープに記録する手法も存在する。その様な技術は例えば、特開平１０−２７１４４１号公報に開示されている。
【０００３】
【発明が解決しようとする課題】
しかしながら、ＤＶフォーマットとＭＰＥＧフォーマットのような異なるフォーマットで符号化された信号が共に記録されている磁気テープから、これらのフォーマットで記録されたデータを読み出して再生する際には、例えば図５に示すように、これらフォーマットの切り替え部分では、復号再生信号のつながりが悪くなるという問題があった。なお、図５におけるＤＶは、ＤＶフォーマットで記録されているフレームを示している。また、Ｉ，Ｂ，ＰはそれぞれＭＰＥＧフォーマットで記録されているフレームを示し、それぞれＩピクチャ、Ｂピクチャ、Ｐピクチャを示す。
【０００４】
前述したようにＤＶフォーマットはイントラ符号化方式であるため、図６に示すように、任意のフレームの復号が完了した時点で、その復号した１フレーム分の映像信号を表示画面に表示することが可能である。それに対して、ＭＰＥＧフォーマットはイントラ符号化に加えインター符号化方式を用いて符号化しているため、図７に示すように、Ｉピクチャの復号を行い、その後、その復号されたＩピクチャを参照画像として、その前後のＢピクチャを復号して表示することになる。そのため、ＭＰＥＧフォーマット信号の復号時間は、ＤＶフォーマット信号の復号時間に対して遅延量が大きくなる。
【０００５】
そのため、同一磁気テープで、ＤＶフォーマットで圧縮された信号の後にＭＰＥＧフォーマットで圧縮された信号が混在して記録されていた場合には、ＭＰＥＧフォーマット信号の復号に対する遅延量がＤＶフォーマット信号の復号に対する遅延量に比べて大きくなる。このため、そのつなぎ部分では、表示画面にＤＶフォーマットで記録されたデータの復号信号を、例えば図５の５０１で示すように、フリーズ状態で表示することになる。また逆に、ＭＰＥＧフォーマットで圧縮された信号の後にＤＶフォーマットで圧縮された信号が記録されていた場合は、そのつなぎ部分において、ＤＶフォーマットの「２ＤＶ」で示すフレームが先に復号されてしまい、図５の５０２で示すように、ＭＰＥＧフォーマットの信号における全てのフレームを表示する前にＤＶフォーマットの信号の表示に切り替えてしまい、ＭＰＥＧフォーマットの信号の中には表示されないフレームが発生することになる。
【０００６】
本発明は上記従来例に鑑みてなされたもので、異なるフォーマットで符号化された画像信号を再生する際に、フォーマットの切り替え部におけるつながり部分の不都合さをなくした映像信号再生装置及びその方法を提供することを目的とする。
【０００７】
【課題を解決するための手段】
上記目的を達成するために本発明の映像信号再生装置は以下のような構成を備える。即ち、
フレーム内符号化を用いた第１符号化方式により符号化された第１画像信号と、フレーム間符号化を用いた第２符号化方式により符号化された第２画像信号とを記録媒体から再生する再生手段と、
前記第１画像信号を復号する第１復号手段と、
前記第２画像信号を復号する第２復号手段と、
前記第２復号手段による復号処理に関連した所定の期間、前記再生手段により再生された前記第１画像信号を遅延して前記第１復号手段に供給する遅延手段とを有することを特徴とする。
【０００８】
上記目的を達成するために本発明の映像信号再生方法は以下のような工程を備える。即ち、
フレーム内符号化を用いた第１符号化方式により符号化された第１画像信号と、フレーム間符号化を用いた第２符号化方式により符号化された第２画像信号とを記録している記録媒体から信号を再生する再生工程と、
前記再生工程で再生された前記第１画像信号を復号する第１復号工程と、
前記再生工程で再生された前記第２画像信号を復号する第２復号工程と、
前記第２復号工程における復号処理に関連した所定の期間、前記再生工程で再生された前記第１画像信号を遅延させる遅延工程と、
を有することを特徴とする。
【０００９】
【発明の実施の形態】
以下、添付図面を参照して本発明の好適な実施の形態を詳細に説明する。
【００１０】
［実施の形態１］
図１は、本発明の実施の形態１に係る映像信号再生装置の構成を示すブロック図で、図３及び図４は、ＤＶフォーマットとＭＰＥＧフォーマットで記録された磁気テープ内の符号化信号と、その磁気テープに対して本実施の形態に係る映像信号再生装置を用いて復号した映像信号の一例を説明する図である。
【００１１】
尚、本実施の形態１では、まず最初に、図３に示すように、ＤＶフォーマットで符号化された信号の後に、ＭＰ＠ＨＬ或いはＭＰ＠Ｈ−１４などのＭＰＥＧフォーマットで符号化された信号が記録されている磁気テープ１０１を再生する際に、ＤＶフォーマットで符号化された信号に対して所定の遅延を与えて再生する例で説明する。
【００１２】
図１において、磁気テープ１０１は、上述したように、ＤＶフォーマットで符号化された信号の後にＭＰＥＧフォーマットで符号化された映像信号及び音声信号が記録されている。再生回路１０２は、磁気テープ１０１に記録されている信号の再生し、その再生した信号をＡ／Ｄ変換部（不図示）に供給してアナログ信号からデジタル信号に変換している。フォーマット検出部１０３は、そのＡ／Ｄ変換部においてデジタル変換された信号から、磁気テープ１０１に記録されているフォーマットを示すフォーマットＩＤを読み取る。このフォーマット検出部１０３で検出されたフォーマットＩＤに応じて、いま磁気テープ１０１から再生されている信号が、ＤＶフォーマットで圧縮記録された信号であるか、或いはＭＰＥＧフォーマットで圧縮記録された信号であるかを判定し、判定結果の信号１１２を制御回路１１１に出力する。尚、この磁気テープ１０１に記録されているフォーマットを判定するためのフォーマットＩＤは、磁気テープ１０１におけるＩＴＩ部或いはサブコードエリアに、映像信号の記録時に記録されているものとする。
【００１３】
こうしてフォーマット検出回路１０３により検出されたフォーマットＩＤに応じて、いま再生されている信号がＤＶフォーマットにより記録された信号であると判定した場合は、制御回路１１１はフォーマット検出部１０３からの検出信号１１２に基づいてスイッチ１０４を制御して、再生回路１０２の出力をバッファ１０５に供給するように切り替える。更に、制御回路１１１はこの検出信号１１２に基づき、ＤＶフォーマットの信号が再生されてから、つまり、ＤＶフォーマットを示す検出信号１１２が入力されてから、後述のようにバッファ１０５による遅延期間に相当した期間だけ送れたタイミングでスイッチ１０８の接続を切り換えて、ＤＶ信号復号化回路１０６の出力を選択して表示回路１０９に出力するよう切り替える。
【００１４】
一方、再生されている信号がＭＰＥＧフォーマットで記録された信号であると判断した場合は、制御回路１１１はフォーマット検出部１０３からの検出信号１１２によりスイッチ１０４を制御して、再生回路１０２の出力をＭＰＥＧ信号復号化回路１０７に供給するように切り替える。そして、同様に、スイッチ１０８を制御して、ＭＰＥＧフォーマットの信号が再生されてから、つまり、ＭＰＥＧフォーマットを示す検出信号１１２が入力されてから、後述のようにバッファ１０５による遅延期間に相当した期間だけ送れたタイミングでＭＰＥＧ信号復号化回路１０７の出力を表示回路１０９に出力するよう切り替える。
【００１５】
このような構成により、スイッチ１０４を介してバッファ１０５に供給された符号化信号は、所定量遅延されてＤＶ信号復号化回路１０６に送られ、そこで復号される。また、スイッチ１０４を介してＭＰＥＧ信号復号化回路１０７に供給された信号は、ほとんど遅延されることなくＭＰＥＧ信号復号化回路１０７において復号される。
【００１６】
こうしてＤＶ信号復号化回路１０６、或いはＭＰＥＧ信号復号化回路１０７により復号された信号は、スイッチ１０８を介して表示回路１０９に供給され、例えばデジタルビデオカメラに具備されているＬＣＤならびにファインダである表示部１１０に表示される。
【００１７】
このように本実施の形態１では、ＤＶフォーマットで記録されている符号化信号に対して所定の遅延量を持たせることにより、図３の３０１及び３０２で示すように、ＤＶフォーマットの再生信号は所定の時間だけ遅れて表示されることになる。また、ＭＰＥＧフォーマットで記録されている符号化信号に対しては、ＤＶフォーマットの再生信号の復号時のような遅延を与えないため、図３の３０１及び３０２で示すフレームの再生に続いて、ＭＰＥＧフォーマットで記録されている符号化信号が再生されて表示される。これにより、ＤＶフォーマットとＭＰＥＧフォーマットの切り替え部における連続性が保たれた映像が表示されることになる。
【００１８】
次に、図４に示すように、ＭＰ＠ＨＬ或いはＭＰ＠Ｈ−１４などのＭＰＥＧフォーマットで符号化された信号の後に、ＤＶフォーマットで符号化された信号が記録されている磁気テープ１０１を再生する際に、ＤＶフォーマットで符号化された信号に対して所定の遅延を与えて再生する例で説明する。この場合も上記処理と同様に、ＤＶフォーマットの復号化信号に対して遅延を与えることで、図４の４０１，４０２及び４０３で示すように、ＭＰＥＧフォーマットとＤＶフォーマットの切り替え部における連続性が保たれた映像が表示される。
【００１９】
本実施の形態１におけるバッファ１０５による遅延量（記憶データ量）は、ＭＰＥＧフォーマットで記録された画像信号が、動画像として適切に表示可能な分だけデコード可能な期間とする。例えば、図３の例では、ＭＰＥＧフォーマットの画像信号のうち、５Ｂのフレームのデコードが終了した時点で、１Ｂ〜３Ｐまでの６フレーム分の画像信号のデコードが完了していることになる。そこで、６フレーム分のＤＶフォーマットのデータをバッファ１０５に記憶すればよい。また遅延回路１１１における遅延時間は、このバッファ１０５における遅延時間に等しいものとする。
【００２０】
なお、この様に、ＭＰＥＧデータをデコードした後に動画として適切に表示可能となる期間は、Ｉ，Ｐ，Ｂピクチャの配置など、ＭＰＥＧフォーマットの画像信号における符号化の際の形態に応じて変化する。そのため、バッファ１０５の遅延量も、このＭＰＥＧデータの符号化形態に応じて設定するのが望ましい。
【００２１】
［実施の形態２］
図２は、本発明の実施の形態２に係る映像信号再生装置の構成を示すブロック図で、前述の図１の構成と共通する部分は同じ記号で示している。
【００２２】
この実施の形態２では、ＤＶフォーマットで符号化された信号の後にＭＰ＠ＨＬあるいはＭＰ＠Ｈ−１４などのＭＰＥＧフォーマットで符号化された信号が記録されている磁気テープ１０１、ＭＰ＠ＨＬあるいはＭＰ＠Ｈ−１４などのＭＰＥＧフォーマットで符号化された信号の後にＤＶフォーマットで符号化された信号が記録されている磁気テープ１０１を再生する際に、ＤＶフォーマットで符号化された復号信号に対して所定の遅延量を与えて再生する。
【００２３】
図２において、再生回路１０２が磁気テープ１０１に記録されている信号の再生を行い、図示しないＡ／Ｄ変換部に供給し、入力された信号をアナログ信号からデジタル信号に変換する。フォーマット検出部１０３は、このＡ／Ｄ変換部においてデジタル変換された信号から、磁気テープ１０１に記録されている信号のフォーマットを示すフォーマットＩＤを読み取る。このフォーマット検出部１０３で検出されたフォーマットＩＤに応じて、いま再生されている信号がＤＶフォーマットで圧縮記録された信号であるか、或いはＭＰＥＧフォーマットで圧縮記録された信号であるかを判定し、フォーマット検出信号１１２を出力する。なお、磁気テープ１０１に記録されているフォーマットを判定するフォーマットＩＤは、磁気テープ１０１におけるＩＴＩ部或いはサブコードエリアに映像信号記録時に記録されているものとする。
【００２４】
制御回路１１１は、この様にフォーマット検出回路１０３により検出されたフォーマットＩＤの検出信号１１２に応じて、いま再生されている信号がＤＶフォーマットで圧縮記録された信号であると判定した場合、スイッチ１０４を制御して再生回路１０２の出力をＤＶ信号復号化回路１０６に供給するように切り替える。また、制御回路１１１はこの検出信号１１２に基づき、ＤＶフォーマットの信号が再生されてから、つまり、ＤＶフォーマットを示す検出信号１１２が入力されてから、後述のようにバッファ１０５ａによる遅延期間に相当した期間だけ送れたタイミングでスイッチ１０８の接続を切り替え、バッファ１０５ａの出力を選択して表示回路１０９に出力する。
【００２５】
一方、再生されている信号がＭＰＥＧフォーマットで圧縮記録された信号であると判断した場合は、制御回路１１１は検出信号１１２に基づいてスイッチ１０４を制御して再生回路１０２の出力をＭＰＥＧ信号復号化回路１０７に供給するように切り替える。そして、同様に、スイッチ１０８を制御して、ＭＰＥＧフォーマットの信号が再生されてから、つまり、ＭＰＥＧフォーマットを示す検出信号１１２が入力されてから、後述のようにバッファ１０５ａによる遅延期間に相当した期間だけ送れたタイミングでスイッチ１０８の接続を切り換えて、ＭＰＥＧ信号復号化回路１０７の出力を選択して表示回路１０９に出力する。スイッチ１０４を介してＤＶ信号復号化回路１０６に供給された符号化信号は、ＤＶ信号復号化回路１０６において復号され、一旦、バッファ１０５ａに保存されて、所定の期間だけ遅延されてスイッチ１０８に出力される。また、スイッチ１０４を介してＭＰＥＧ信号復号化回路１０７に供給された信号は、ＭＰＥＧ信号復号化回路１０７において復号化される。
【００２６】
こうしてＤＶ信号復号化回路１０６で復号されてバッファ１０５ａに記憶された信号、或いはＭＰＥＧ信号復号化回路１０７において復号された信号は、スイッチ１０８を介して表示回路１０９に供給され、例えばデジタルビデオカメラに具備されているＬＣＤならびにファインダである表示部１１０に表示される。
【００２７】
本実施の形態２では、ＤＶフォーマットで記録されている符号化信号に対して所定の遅延量を持たせることにより、図３の３０１及び３０２で示すように、ＤＶフォーマットの再生信号は所定の時間だけ遅れて表示されることになる。また、ＭＰＥＧフォーマットで記録されている符号化信号に対しては、ＤＶフォーマットの再生信号の復号時のような遅延を与えないため、図３の３０１及び３０２で示すように、ＤＶフォーマットとＭＰＥＧフォーマットの切り替え部における連続性が保たれた映像が表示される。
【００２８】
こうして例えば、図３で示すように、ＤＶフォーマットの再生信号からＭＰＥＧフォーマットの再生信号に切り替わる際、ＤＶフォーマットの再生信号が、例えば図３の３０１，３０２で示すように２フレーム期間遅延して表示される。
【００２９】
また図４に示した様に、ＭＰＥＧフォーマットの信号の後にＤＶフォーマットの信号が記録されている場合ＭＯ同様に、図４の４０１〜４０３で示すように、ＤＶフォーマットの再生信号は所定の時間だけ遅れて表示されることになる。また、ＭＰＥＧフォーマットの再生信号に対してはＤＶフォーマットの再生信号のような所定期間の遅延を与えないため、ＭＰＥＧからＤＶへの境界部分において、ＭＰＥＧフォーマットの再生信号が図４の６Ｐのフレームまで全て再生でき、ＤＶフォーマットとＭＰＥＧフォーマットの切り替え部における連続性が保たれた映像が表示される。
【００３０】
［実施の形態３］
なお、本実施の形態１，２のように、符号化されたデータを復号して再生する映像信号再生装置では、通常、磁気テープ１０１から読み出した信号を一時保持するバッファメモリを備えているが、図８は、このようなバッファを備えた構成を示している。
【００３１】
図８は、本発明の実施の形態３に係る映像信号再生装置の構成を示すブロック図で、前述の図１の構成と共通する部分は同じ記号で示し、その説明を省略する。
【００３２】
図８において、バッファ８０は、ＭＰＥＧフォーマットで符号化され、再生回路１０２で読み出された信号を格納するためのバッファである。
【００３３】
図７は、ＭＰＥＧフォーマットの信号を復号する場合の処理を説明する図で、磁気テープ１０１に記録されているＭＰＥＧフォーマットの映像信号は、図７の左から順にシーケンシャルに読み出されて、図７に示すような順番で復号される。従って、ＭＰＥＧフォーマットで符号化されたＩ，Ｂ，Ｐピクチャを記憶するためのバッファメモリ８０が必要となる。
【００３４】
この場合は、ＭＰＥＧ信号用のバッファ８０における遅延量よりも、ＤＶ信号用のバッファ１０５の遅延量（遅延回路１１１の遅延時間と等しい）を大きくする必要がある。そして、図３及び図４にて説明した様に、ＤＶフォーマットの再生信号の遅延量をＭＰＥＧフォーマットの再生信号の遅延量よりも大きくして切り替え時のタイミングを決定する。
【００３５】
図９は、本実施の形態に係る映像再生装置における処理の流れを説明するフローチャートである。
【００３６】
まずステップＳ１で、記録媒体（ここでは磁気テープ１０１）に記憶されている信号を読み出し、ステップＳ２で、磁気テープ１０１に記録されているフォーマットを判定するためのフォーマットＩＤに基づいて、その記録フォーマットがＤＶフォーマットかＭＰＥＧフォーマットかを判定する。ＤＶフォーマットであればステップＳ３に進み、磁気テープ１０１からの信号を、ＭＰＥＧフォーマットでフレームを再生するのに要する時間に相当する所定量だけ遅延させる。そしてステップＳ４に進み、その遅延させた信号をＤＶ復号処理する。こうしてＤＶフォーマットの信号に復号が終了するとステップＳ５に進み、その復号した信号を表示回路１０９に出力して表示部１１０に表示する。
【００３７】
一方、ステップＳ２で、磁気テープ１０１に記録されているフォーマットがＭＰＥＧフォーマットであると判定されるとステップＳ６に進み、その読み出した信号をＭＰＥＧ復号処理により復号する。こうしてステップＳ５に進み、その復号した信号を表示回路１０９に出力して表示部１１０に表示する。
【００３８】
尚、図２の場合は、図９のステップＳ３とＳ４とが入れ替わりることになる。即ち、ステップＳ３で、ＤＶフォーマットの信号を復号し、ステップＳ４で、その復号した信号（データ）を遅延させることにより実現できる。
【００３９】
尚、以上の説明では、ＤＶフォーマットの信号をバッファ１０５により遅延させる場合で説明したが、本発明はこれに限定されるものでなく、例えばディレイラインのような遅延素子を使用して、信号を遅らせるようにしても良い。
【００４０】
［その他の実施の形態］
なお本発明は、複数の機器（例えばホストコンピュータ、インタフェイス機器、リーダ、プリンタなど）から構成されるシステムに適用しても、一つの機器からなる装置（例えば、複写機、ファクシミリ装置など）に適用しても良い。
【００４１】
また本発明の目的は、前述した実施形態の機能を実現するソフトウェアのプログラムコードを記録した記憶媒体を、システムあるいは装置に供給し、そのシステムあるいは装置のコンピュータ（またはＣＰＵまたはＭＰＵ）が記憶媒体に格納されたプログラムコードを読み出し実行することによっても達成される。
【００４２】
この場合、記憶媒体から読み出されたプログラムコード自体が前述した実施形態の機能を実現することになり、そのプログラムコードを記憶した記憶媒体は本発明を構成することになる。
【００４３】
プログラムコードを供給するための記憶媒体としては、例えば、フロッピィディスク、ハードディスク、光ディスク、光磁気ディスク、ＣＤ−ＲＯＭ、ＣＤ−Ｒ、磁気テープ、不揮発性のメモリカード、ＲＯＭなどを用いることが出来る。
また、コンピュータが読み出したプログラムコードを実行することにより、前述した実施形態の機能が実現されるだけでなく、そのプログラムコードの指示に基づき、コンピュータ上で稼動しているＯＳ（オペレーティングシステム）などが実際の処理の一部を行い、その処理によって前述した実施形態の機能が実現される場合も含まれる。
【００４４】
更に、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵなどが実際の処理の一部または全部を行い、その処理によって前述した実施の形態の機能が実現される場合も含まれる。
【００４５】
以上詳述したように本実施の形態に係る映像信号再生装置によれば、ＤＶフォーマットとＭＰＥＧフォーマットが混在して記録されている磁気テープを再生する際に、ＤＶフォーマット復号信号に対して所定の遅延量を持たせて出力することで、フォーマットの切り替え部分におけるつながりの不都合さをなくすことが可能となる。
【００４６】
【発明の効果】
以上説明したように本発明によれば、異なるフォーマットで符号化された画像信号を再生する際に、フォーマットの切り替え部におけるつながり部分の不都合さをなくすことができる。
【図面の簡単な説明】
【図１】本発明における実施の形態１を適用した磁気テープ再生装置の構成例を示すブロック図である。
【図２】本発明における実施の形態２を適用した磁気テープ再生装置の構成例を示すブロック図である。
【図３】ＤＶフォーマット信号の後にＭＰＥＧフォーマット信号が記録された磁気テープを本発明装置で再生したときの復号信号を説明する図である。
【図４】ＭＰＥＧフォーマット信号の後にＤＶフォーマット信号が記録された磁気テープを本発明装置で再生したときの復号信号を説明する図である。
【図５】ＤＶフォーマットとＭＰＥＧフォーマットが混在して記録されている磁気テープを従来の手法で再生したときの復号信号を説明する図である。
【図６】ＤＶフォーマットが記録されている磁気テープを従来の手法で再生したときの復号信号を説明する図である。
【図７】ＭＰＥＧフォーマットが記録されている磁気テープを従来の手法で再生したときの復号信号を説明する図である。
【図８】本発明の他の実施形態に係る磁気テープ再生装置の構成を示すブロック図である。
【図９】本発明の実施形態に係る磁気テープ再生装置における処理を説明するフローチャートである。
【図１】
2004173070.tif 000003
【図２】
2004173070.tif 000004
【図３】
2004173070.tif 000005
【図４】
2004173070.tif 000006
【図５】
2004173070.tif 000007
【図６】
2004173070.tif 000008
【図７】
2004173070.tif 000009
【図８】
2004173070.tif 000010
【図９】
2004173070.tif 000011